(57)【要約】  接続変換アダプタ（１）は、アダプタ本体（２）と、板状の端子カバー（３）とを備える。アダプタ本体（２）は、電気機器のねじ端子（１０１）に接続される機器接続部と、導電部材に接続される導体接続部とを有する。端子カバー（３）は、アダプタ本体（２）が電気機器に取り付けられた状態である場合に、ねじ端子（１０１）の上方を覆う。端子カバー（３）は、電気機器の排気口（１０５）よりも先端が下方に位置し且つ基端から先端に向けて下方に傾斜した状態で基端側がアダプタ本体（２）に取り付けられる。
2020194704.tif 000002
【特許請求の範囲】
【請求項１】
電気機器のねじ端子に接続される機器接続部と、導電部材に接続される導体接続部とを有するアダプタ本体と、
前記アダプタ本体が前記電気機器に取り付けられた状態である場合に、前記ねじ端子の上方を覆う板状の端子カバーと、を備え、
前記端子カバーは、
前記電気機器の排気口よりも先端が下方に位置し且つ基端から先端に向けて下方に傾斜した状態で基端側が前記アダプタ本体に取り付けられる
ことを特徴とする接続変換アダプタ。
【請求項２】
前記端子カバーは、
打ち抜き加工された樹脂積層材によって形成される
ことを特徴とする請求項１に記載の接続変換アダプタ。
【請求項３】
前記端子カバーは、前記ねじ端子の電圧を検査するための孔である検電用孔が形成される
ことを特徴とする請求項１または２に記載の接続変換アダプタ。
【請求項４】
前記アダプタ本体は、
前記端子カバーに設けられた係合部に係合するカバー係合部を備え、
前記カバー係合部は、
前記端子カバーのうち前記ねじ端子と対向する面側に形成される
ことを特徴とする請求項１から３のいずれか一つに記載の接続変換アダプタ。
【請求項５】
前記アダプタ本体は、
前記カバー係合部を上方から覆う係合部カバーを備える
ことを特徴とする請求項４に記載の接続変換アダプタ。
【請求項６】
前記導体接続部および前記カバー係合部の各々を複数備え、
前記アダプタ本体は、
複数の前記導体接続部のうち各々対応する導体接続部を有し、前記ねじ端子の配列方向に配列される複数種類の接続変換ブロックを備え、
複数の前記カバー係合部の各々は、
前記複数種類の接続変換ブロックのうち１種類の接続変換ブロックに形成される
ことを特徴とする請求項４または５に記載の接続変換アダプタ。
【請求項７】
請求項１から６のいずれか一つに記載の接続変換アダプタと、
負荷側のねじ端子と電源側のねじ端子とを繋ぐ電路について開閉を行う開閉接点と、を備え、
前記負荷側のねじ端子および前記電源側のねじ端子のいずれか一方または両方に前記接続変換アダプタが接続される
ことを特徴とする電気機器。
【発明の詳細な説明】
【技術分野】
【０００１】
本発明は、電気機器への接続方式を変換する接続変換アダプタおよび電気機器に関する。
【背景技術】
【０００２】
従来、回路遮断器または開閉器などの電気機器では、ねじ端子で電線を接続するねじ端子式の接続方式が主流であるが、配線性、意匠面、または省施工などを目的として、例えば、プラグイン式、ソルダレス端子式、または速結端子式などの接続方式が採用される場合もある。【０００３】
電気機器において複数種類の接続方式に対応することが求められる場合、投資削減または工数削減などの観点から、一方にねじ端子への接続部を有し、他方にねじとは異なる接続方式の端子を有する接続変換アダプタが用いられる場合がある。【０００４】
例えば、特許文献１には、電気機器のねじ端子に接続される電気機器接続部と、導電バーとの間で差込み接続する導電バー接続部とを備える接続変換アダプタが提案されている。かかる接続変換アダプタでは、電気機器の端面に形成された排気口に対向してガス逃げ路が形成され、かかるガス逃げ路を介して電気機器の排気口から排気されるガスを外部に排出することができる。
【先行技術文献】
【特許文献】
【０００５】
【特許文献１】特開平１１−１２６６６９号公報
【発明の概要】
【発明が解決しようとする課題】
【０００６】
しかしながら、特許文献１に記載の接続変換アダプタは、ねじ端子の下方空間にガス逃げ路を形成する構成であり、排気口がねじ端子の上方空間に対向する位置に設けられる電気機器には適用することができない。【０００７】
本発明は、上記に鑑みてなされたものであって、ねじ端子の上方空間に対向する位置に設けられる電気機器の排気口から排出されるガスを外部へ排出することができる接続変換アダプタを提供することを目的とする。
【課題を解決するための手段】
【０００８】
上述した課題を解決し、目的を達成するために、本発明の接続変換アダプタは、アダプタ本体と、板状の端子カバーとを備える。アダプタ本体は、電気機器のねじ端子に接続される機器接続部と、導電部材に接続される導体接続部とを有する。端子カバーは、アダプタ本体が電気機器に取り付けられた状態である場合に、ねじ端子の上方を覆う。端子カバーは、電気機器の排気口よりも先端が下方に位置し且つ基端から先端に向けて下方に傾斜した状態で基端側がアダプタ本体に取り付けられる。
【発明の効果】
【０００９】
本発明によれば、ねじ端子の上方空間に対向する位置に設けられる電気機器の排気口から排出されるガスを外部へ排出することができる、という効果を奏する。
【図面の簡単な説明】
【００１０】
【図１】本発明の実施の形態１にかかる接続変換アダプタを回路遮断器に接続する前の状態を示す外観斜視図
【図２】実施の形態１にかかるアダプタ本体の外観斜視図
【図３】実施の形態１にかかるアダプタ本体を図２に示す矢印の方向から見た図
【図４】実施の形態１にかかる端子カバーの外観斜視図
【図５】実施の形態１にかかる端子カバーの外観斜視図
【図６】実施の形態１にかかる回路遮断器に取り付けられたアダプタ本体への端子カバーの取り付け方法を説明するための図
【図７】実施の形態１にかかる回路遮断器に接続変換アダプタが取り付けられた状態を示す外観斜視図
【図８】実施の形態１にかかる回路遮断器に接続変換アダプタが取り付けられた状態を示す平面図
【図９】図８に示すIX-IX線に沿った断面図
【図１０】実施の形態１にかかる端子カバーにおけるガスの外部への排出機能を説明するための図
【図１１】本発明の実施の形態２にかかる接続変換アダプタにおけるアダプタ本体の外観斜視図
【図１２】図１１に示すアダプタ本体を構成する複数種類の接続変換ブロックのうち１種類の接続変換ブロックの外観斜視図
【発明を実施するための形態】
【００１１】
以下に、本発明の実施の形態にかかる接続変換アダプタおよび電気機器を図面に基づいて詳細に説明する。なお、この実施の形態によりこの発明が限定されるものではない。
【００１２】
実施の形態１．
図１は、本発明の実施の形態１にかかる接続変換アダプタを回路遮断器に接続する前の状態を示す外観斜視図である。以下においては、実施の形態１にかかる接続変換アダプタが取り付けられる電気機器として、回路遮断器を一例に挙げて説明するが、接続変換アダプタが取り付けられる電気機器は、回路遮断器に限定されない。
【００１３】
図１に示すように、回路遮断器１００には２つの接続変換アダプタ１が取り付けられる。具体的には、２つの接続変換アダプタ１のうち一方の接続変換アダプタ１は、回路遮断器１００の電源側のねじ端子１０１に接続されることによって、回路遮断器１００の電源側に取り付けられる。また、他方の接続変換アダプタ１は、回路遮断器１００における負荷側のねじ端子１０１に接続されることによって、回路遮断器１００の負荷側に取り付けられる。
【００１４】
ねじ端子１０１には、ねじ５が取り付けられるねじ孔が形成されており、ねじ５によって接続変換アダプタ１の回路遮断器１００への取り付けが行われる。なお、図１では、一方の接続変換アダプタ１によって、回路遮断器１００の負荷側のねじ端子１０１に取り付けられるねじ５は、回路遮断器１００に隠れており、回路遮断器１００における電源側のねじ端子１０１は、回路遮断器１００に隠れている。
【００１５】
回路遮断器１００は、電源側のねじ端子１０１と負荷側のねじ端子１０１との間の電路の接続および遮断を行う。例えば、回路遮断器１００は、電路に過電流または短絡電流が流れた場合に電路を開状態にする。なお、電源側のねじ端子１０１は、電源に接続される端子であり、負荷側のねじ端子１０１は、負荷に接続される端子である。図１に示す回路遮断器１００は、３極の回路遮断器であり、電源側および負荷側の各々における極間の領域には、図１における上下方向に延伸する取付溝１０２が形成される。
【００１６】
接続変換アダプタ１は、アダプタ本体２と、回路遮断器１００のねじ端子１０１の上方を覆う板状の端子カバー３とを有する。かかる端子カバー３は、アダプタ本体２が回路遮断器１００に取り付けられた状態でアダプタ本体２に取り付けられる。
【００１７】
まず、アダプタ本体２の構成について説明する。図２は、実施の形態１にかかるアダプタ本体の外観斜視図である。図３は、実施の形態１にかかるアダプタ本体を図２に示す矢印の方向から見た図である。
【００１８】
図２に示すように、アダプタ本体２は、ねじ５が挿入される孔が形成され、ねじ５によってねじ端子１０１に締め付けられる端子２１ａを有する複数の機器接続部２１と、電線またはブスバーなどの導電部材が各々接続される複数の導体接続部２２とを備える。機器接続部２１の端子２１ａと導体接続部２２に設けられた不図示の導体とは電気的に接続されている。なお、機器接続部２１の端子２１ａと導体接続部２２に設けられる導体とは一体的に形成されてもよい。
【００１９】
各導体接続部２２は、導体接続部２２の開口２２ａから挿入される電線に内部に配置された不図示の導体が接続される速結端子式の接続部であるが、速結端子式の接続部に限定されない。例えば、各導体接続部２２は、プラグイン式の接続部であってもよく、ソルダレス端子式の接続部であってもよい。
【００２０】
アダプタ本体２には、図２に示すように、極間の領域であって端子２１ａが突出する方向に沿って突出する取付凸部２３が設けられる。かかる取付凸部２３は、隣接する端子２１ａ間に配置される。アダプタ本体２を回路遮断器１００に取り付ける際に、取付凸部２３が回路遮断器１００における上述した取付溝１０２に挿入されて取付凸部２３が取付溝１０２と係合する。
【００２１】
このように、ねじ５による端子２１ａとねじ端子１０１との締結に加えて、取付凸部２３と取付溝１０２とが係合することで、アダプタ本体２が回路遮断器１００により強固に固定される。また、取付凸部２３と取付溝１０２の寸法関係を調整することで、回路遮断器１００へのアダプタ本体２の固定力および組立性などを調整することができる。
【００２２】
また、アダプタ本体２は、図２に示すように、下方に向けて傾斜する傾斜面２４と、傾斜面２４の両側端に形成された一対のカバー取付溝２５とを備える。一対のカバー取付溝２５は、アダプタ本体２に端子カバー３が取り付けられる際に、端子カバー３の両側端が挿入され、傾斜面２４と共にアダプタ本体２への端子カバー３を案内する。
【００２３】
また、アダプタ本体２は、傾斜面２４に沿った方向に傾斜面２４を含む領域から延伸し、端子カバー３に係合する複数のカバー係合部２６と、複数のカバー係合部２６のうち対応するカバー係合部２６の上方を覆う複数の係合部カバー２７を備える。
【００２４】
複数のカバー係合部２６は、図２および図３に示すように、一対のカバー取付溝２５が互いに対向する方向に配列される。図２および図３に示す例では、カバー係合部２６は、極毎に設けられる。各カバー係合部２６は、基端から先端に向けて端子カバー３の挿入方向に延伸する延伸部２６ａと、端子カバー３の挿入方向に向かうほど延伸部２６ａの先端から突出する突出部２６ｂを有している。かかるカバー係合部２６の形状は、スナップフィット形状とも呼ばれる。
【００２５】
係合部カバー２７は、アダプタ本体２に端子カバー３が取り付けられた状態において、カバー係合部２６を覆い、外部からのカバー係合部２６への接触を防止する機能を有する。また、係合部カバー２７は、例えば、端子カバー３の板面に対して力が作用した場合に、端子カバー３がアダプタ本体２から外れることを防ぐ機能も有する。
【００２６】
係合部カバー２７は、傾斜面２４に基端が連続し傾斜面２４に直交または交差する方向に突出する突出部２７ａと、突出部２７ａの先端に連続し、カバー係合部２６と対向してカバー係合部２６を覆うカバー部２７ｂとを有する。
【００２７】
次に、端子カバー３の構成について説明する。図４および図５は、実施の形態１にかかる端子カバーの外観斜視図である。図４および図５に示すように、端子カバー３は、極配列方向に延伸するベース部３１と、極配列方向に沿って互いに間隔を空けて配置され極配列方向と直交する方向にベース部３１から各々突出する複数のカバー部３２とを備える。極配列方向は、端子カバー３がアダプタ本体２に取り付けられた状態において、一対のカバー取付溝２５が互いに対向する方向である。
【００２８】
ベース部３１には、端子カバー３がアダプタ本体２に取り付けられる際にアダプタ本体２に形成された複数の突出部２７ａが挿入される複数の案内溝３１１が形成される。
【００２９】
各カバー部３２は、回路遮断器１００における複数のねじ端子１０１のうち対応するねじ端子１０１の上方を覆う。各カバー部３２の先端部には、ねじ端子１０１の電圧を検査するための孔である検電用孔３２１が形成される。また、各カバー部３２の中途部には、端子カバー３がアダプタ本体２に取り付けられる際にアダプタ本体２の突出部２７ａを案内する案内溝３２２が形成される。また、各カバー部３２の基端部には、アダプタ本体２に形成されたカバー係合部２６と係合する係合部３２３が形成される。
【００３０】
端子カバー３は、例えば、一定の厚みを持つ板状の樹脂により構成される１枚の部品である。なお、端子カバー３は、図４および図５に示す形状に限定されず、検電用孔３２１、案内溝３２２、および係合部３２３を有する構成であればよく、接続変換アダプタ１および回路遮断器１００の形状によって適宜変更することができる。
【００３１】
図４および図５に示す端子カバー３は、厚みが一定であり、且つ左右対称であるため、裏表の区別がない。そのため、端子カバー３をアダプタ本体２に誤った取り付け状態で取り付けられるといった可能性を大幅に低減できる。また、端子カバー３は、板状の樹脂部材で構成される。例えば、端子カバー３は、板状の樹脂積層材に打ち抜き加工を施すことによって形成される。なお、端子カバー３は、打ち抜き加工をした樹脂積層材に限定されず、例えば、成形品であってもよい。
【００３２】
次に、端子カバー３のアダプタ本体２への取り付け方法を説明する。図６は、実施の形態１にかかる回路遮断器に取り付けられたアダプタ本体への端子カバーの取り付け方法を説明するための図である。
【００３３】
図６に示すように、回路遮断器１００に取り付けられた状態のアダプタ本体２へ端子カバー３を取り付ける際に、端子カバー３の両側端をアダプタ本体２の一対のカバー取付溝２５に挿入し、カバー取付溝２５の延伸方向に沿った方向に移動させる。これにより、端子カバー３がアダプタ本体２に取り付けられる。
【００３４】
図６に示す状態では、図２および図３に示すアダプタ本体２に形成された複数のカバー係合部２６が図４および図５に示す端子カバー３の複数の係合部３２３に係合した状態である。また、図６に示す状態では、図２および図３に示すアダプタ本体２に形成された複数の突出部２７ａが図４および図５に示す端子カバー３の複数の案内溝３１１に挿入された状態である。
【００３５】
端子カバー３をアダプタ本体２に取り付ける際に、端子カバー３がカバー取付溝２５によって案内されることから、端子カバー３のアダプタ本体２への取り付けは、単純な挿入作業であり、かかる作業に要する時間は短くて済む。
【００３６】
次に、端子カバー３のアダプタ本体２への取り付け状態について説明する。図７は、実施の形態１にかかる回路遮断器に接続変換アダプタが取り付けられた状態を示す外観斜視図である。図８は、実施の形態１にかかる回路遮断器に接続変換アダプタが取り付けられた状態を示す平面図である。図９は、図８に示すIX-IX線に沿った断面図である。図１０は、実施の形態１にかかる端子カバーにおけるガスの外部への排出機能を説明するための図である。
【００３７】
図７および図８に示すように回路遮断器１００に接続変換アダプタ１が取り付けられた状態において、端子カバー３の係合部３２３は、図９に示すように、アダプタ本体２のカバー係合部２６に係合している。そのため、端子カバー３は、図２に示す矢印Ａで示される方向と逆方向である取り外し方向の移動がカバー係合部２６によって制限される。
【００３８】
回路遮断器１００に取り付けられた状態のアダプタ本体２に端子カバー３を取り付ける際に、カバー係合部２６の延伸部２６ａは、端子カバー３の挿入に伴いねじ５側へたわみ、カバー係合部２６の突出部２６ｂが端子カバー３の係合部３２３を乗り越えることで元の形状に戻る。これにより、端子カバー３の係合部３２３がカバー係合部２６の突出部２６ｂに係合し、端子カバー３の取り外し方向への移動の障害になり、端子カバー３のアダプタ本体２からの抜け止めが行われる。
【００３９】
カバー係合部２６を抜け止めとして機能させるためには梁となる延伸部２６ａに十分なたわみ代が必要となるが、カバー係合部２６においてたわみの梁となる部分が短いと、カバー係合部２６の延伸部２６ａがたわんだ際に応力限界を超え破壊してしまう可能性がある。そのため、応力限界を超えないように、延伸部２６ａをある程度長くする必要があるが、回路遮断器１００の底面１００ａと平行に延伸部２６ａを長く延伸すると、接続変換アダプタ１のサイズを大きくする必要が生じる。
【００４０】
そこで、実施の形態１にかかる接続変換アダプタ１では、図１０に示すように、端子カバー３の挿入方向を回路遮断器１００の底面１００ａに平行な面に角度θ分だけ斜めにし、カバー係合部２６における延伸部２６ａを角度θ分だけ斜め方向に延伸させている。これにより、端子カバー３の挿入方向を回路遮断器１００の底面１００ａに平行にした場合と比べて、回路遮断器１００の底面１００ａに平行な方向において、“Ｌ−Ｌｃｏｓθ”分だけ短くすることができる。なお、“Ｌ”は、端子カバー３の挿入方向における端子カバー３の長さである。したがって、接続変換アダプタ１の大型化を抑制することができる。なお、角度θは、図１０に示す角度に限定されない。
【００４１】
また、カバー係合部２６は、端子カバー３のうちねじ端子１０１に対向する面３ａ側に形成され、カバー係合部２６は外部から触れ難い位置になる。そのため、抜け止め部となるカバー係合部２６を上方から押圧してたわませながら端子カバー３を引き抜くといったことを防止することができ、回路遮断器１００から接続変換アダプタ１を取り外すことをより防止することができる。
【００４２】
また、係合部カバー２７のカバー部２７ｂは、カバー係合部２６の上方を覆う位置に配置されるため、これによっても、カバー係合部２６に触れることが防止される。そのため、カバー係合部２６を上方から押圧してたわませながら端子カバー３を引き抜くといったことをより防止することができ、回路遮断器１００から接続変換アダプタ１を取り外すことをより防止することができる。
【００４３】
また、端子カバー３の案内溝３１１は、アダプタ本体２における係合部カバー２７の突出部２７ａが挿入されるため、端子カバー３は、図２に示す矢印Ａで示される方向の移動が突出部２７ａによって制限される。
【００４４】
また、図９に示すように、回路遮断器１００に接続変換アダプタ１が取り付けられた状態において、端子カバー３における各カバー部３２の一部は、アダプタ本体２における係合部カバー２７のカバー部２７ｂに対向する。そのため、端子カバー３は、上下方向の移動がカバー取付溝２５に加え係合部カバー２７のカバー部２７ｂによっても制限される。
【００４５】
回路遮断器１００に接続変換アダプタ１が取り付けられた状態において、図９に示すように、接続変換アダプタ１はねじ５によりねじ端子１０１に接続されており、端子カバー３のカバー部３２は、ねじ５が取り付けられたねじ端子１０１の上方を覆う。そのため、回路遮断器１００に接続変換アダプタ１が取り付けられた状態において、ドライバーなどの取外し工具によるねじ５へのアクセスが防止される。また、回路遮断器１００に接続変換アダプタ１が取り付けられた状態において、ねじ５またはねじ端子１０１への指などの接触なども防止される。
【００４６】
また、端子カバー３は、ねじ端子１０１の上方空間に対向する位置に設けられる回路遮断器１００の排気口１０５から排出されるガスを外部へ排出することができる。以下、端子カバー３におけるガスの外部への排出機能について説明する。
【００４７】
図１０に示すように、回路遮断器１００は、電路の接続および遮断などを行うための可動接点１０６および固定接点１０７と、可動接点１０６と固定接点１０７との間に発生するアーク６を消弧するための消弧室１０４とを電源側に有している。なお、アーク６は、例えば、電路の遮断を行った際に発生する。
【００４８】
消弧室１０４においてアーク６を消弧する際にはアーク６によってアークガス７が発生することから、回路遮断器１００には、アークガス７を回路遮断器１００の外部へ逃がすための排気口１０５が消弧室１０４に隣接して設けられている。
【００４９】
ここで、排気口１０５に対向する位置に障害となる物が存在する場合、アークガス７を十分に外部へ排出することができず、回路遮断器１００の遮断性能の悪化および絶縁性能の劣化といった問題が発生する可能性がある。そこで、接続変換アダプタ１では、図１０に示すように、端子カバー３の挿入方向を斜め方向とし、端子カバー３の先端が排気口１０５よりも下方に位置した状態で端子カバー３がアダプタ本体２に取り付けられる。これにより、端子カバー３が挿入方向の延長線９よりも上方の開放された側に排気口１０５が位置する。そのため、排気口１０５に対向する位置のガス抜け経路を確保することができ、回路遮断器１００の遮断性能の悪化などを抑制することができる。
【００５０】
以上のように、実施の形態１にかかる接続変換アダプタ１は、アダプタ本体２と、板状の端子カバー３とを備える。アダプタ本体２は、電気機器の一例である回路遮断器１００のねじ端子１０１に接続される機器接続部２１と、不図示の導電部材に接続される導体接続部２２とを有する。端子カバー３は、アダプタ本体２が回路遮断器１００に取り付けられた状態である場合に、ねじ端子１０１の上方を覆う。端子カバー３は、回路遮断器１００の排気口１０５よりも先端が下方に位置し且つ基端から先端に向けて下方に傾斜した状態で基端側がアダプタ本体２に取り付けられる。これにより、端子カバー３を斜め方向に配置することで排気部分に障害となる物が存在せず、ねじ端子１０１の上方空間に対向する位置に設けられる電気機器の排気口１０５から排出されるガスを外部へ排出することができる。そのため、回路遮断器１００における遮断性能の低下を抑制することができる。
【００５１】
また、端子カバー３は、打ち抜き加工された樹脂積層材によって形成される。これにより、比較的安価な端子カバー３を用いて接続変換アダプタ１を構成することができる。なお、端子カバー３は、一定の厚みをもつ板状の樹脂であればよく、また１つのアダプタ本体２について１部品でよいため比較的安価に構成することができる。
【００５２】
また、端子カバー３は、ねじ端子１０１の電圧を検査するための孔である検電用孔３２１が形成される。これにより、端子カバー３を介して検電を行うことができる。
【００５３】
また、アダプタ本体２は、端子カバー３に設けられた係合部３２３に係合するカバー係合部２６を備える。かかるカバー係合部２６は、端子カバー３のうちねじ端子１０１と対向する面３ａ側に形成される。これにより、カバー係合部２６を外部から触れ難い位置にすることができ、例えば、抜け止め部となるカバー係合部２６を上方から押圧してたわませながら端子カバー３を引き抜くといったことを防止することができる。
【００５４】
また、アダプタ本体２は、カバー係合部２６を上方から覆う係合部カバー２７を備える。これにより、カバー係合部２６が外部からさらに触れに難くなり、アダプタ本体２から接続変換アダプタ１を非破壊で取り外すことが難しくなる。そのため、例えば、抜け止め部となるカバー係合部２６を上方から押圧してたわませながら端子カバー３を引き抜くといったことをさらに防止することができる。
【００５５】
実施の形態２.
実施の形態２にかかる接続変換アダプタは、アダプタ本体を構成する複数種類の接続変換ブロックのうち１種類の接続変換ブロックに各極に対応するカバー係合部および係合部カバーが設けられる点で、実施の形態１にかかる接続変換アダプタ１と異なる。以下においては、実施の形態１にかかる接続変換アダプタ１と同様の構成については同一符号を付して説明を省略し、実施の形態１にかかる接続変換アダプタ１と異なるアダプタ本体の構成について主に説明するものとする。
【００５６】
図１１は、本発明の実施の形態２にかかる接続変換アダプタにおけるアダプタ本体の外観斜視図である。図１２は、図１１に示すアダプタ本体を構成する複数種類の接続変換ブロックのうち１種類の接続変換ブロックの外観斜視図である。なお、図１１では、実施の形態２にかかる接続変換アダプタ１Ａのうちアダプタ本体２Ａのみを示している。
【００５７】
図１１に示すアダプタ本体２Ａは、３つの種類の接続変換ブロック２８ａ，２８ｂ，２８ｃおよび本体カバー２９を備える。各接続変換ブロック２８ａ，２８ｂ，２８ｃは、１つの導体接続部２２を有している。図１１に示すアダプタ本体２Ａでは、複数種類の接続変換ブロック２８ａ，２８ｂ，２８ｃが段積み方式で連結される。これにより、単極タイプの電気機器および多極タイプの電気機器を含む複数の電気機器に対応する接続変換アダプタ１Ａを容易に得ることができる。
【００５８】
また、複数種類の接続変換ブロック２８ａ，２８ｂ，２８ｃは、段積み方式で連結できるように、互いに異なる形状を有しており、段積み方式での連結時に配設される位置が決まっている。図１１に示すアダプタ本体２Ａでは、接続変換ブロック２８ａ、接続変換ブロック２８ｂ、接続変換ブロック２８ｃ、接続変換ブロック２８ｂ、接続変換ブロック２８ｃ、および接続変換ブロック２８ｂの並びで連結されている。また、本体カバー２９は、接続変換ブロック２８ｂに連結される。
【００５９】
接続変換ブロック２８ｂは、単極品か多極品かにかかわらず全ての極に共通して各極に１つずつ配置される。また、接続変換ブロック２８ｂには、端子カバー３の抜け止めを行うためのカバー係合部２６および係合部カバー２７が形成される。
【００６０】
このように、アダプタ本体２Ａには、全ての極に共通して用いられる接続変換ブロック２８ｂにカバー係合部２６および係合部カバー２７が設けられる。そのため、アダプタ本体２Ａの極数を増減した場合でも、端子カバー３のカバー部３２の数を増減させることで、極数変更後の接続変換アダプタ１Ａに対応した端子カバー３を容易に得ることができ、設計にかかるコストを削減することができる。
【００６１】
また、端子カバー３の挿入方向が接続変換ブロック２８ａ，２８ｂ，２８ｃの結合方向と直交しているため、端子カバー３の挿入後における各接続変換ブロック２８ａ，２８ｂ，２８ｃの連結方向の動きが制限される。そのため、接続変換ブロック２８ａ，２８ｂ，２８ｃをより強固に連結することができる。
【００６２】
以上のように、実施の形態２にかかるアダプタ本体２Ａは、導体接続部２２およびカバー係合部２６の各々を複数備える。アダプタ本体２Ａは、複数の導体接続部２２のうち各々対応する導体接続部２２を有し、ねじ端子１０１の配列方向に配列される複数種類の接続変換ブロック２８ａ，２８ｂ，２８ｃを備える。複数のカバー係合部２６の各々は、複数種類の接続変換ブロック２８ａ，２８ｂ，２８ｃのうち１種類の接続変換ブロック２８ｂに形成される。これにより、アダプタ本体２Ａの極数を容易に増減することができ設計にかかるコストを削減することができる。
【００６３】
なお、上述した実施の形態１，２では、電気機器の一例として回路遮断器１００を挙げて説明したが、ねじ端子１０１とねじ端子１０１の近くに排気口１０５とを有する電気機器に適用することができる。例えば、接続変換アダプタ１，１Ａは、回路遮断器１００に代えて、開閉器または電磁接触器などに用いられてもよい。また、接続変換アダプタ１，１Ａと回路遮断器１００とを含む電気機器を提供することもできる。なお、回路遮断器１００、開閉器、および電磁接触器は、負荷側のねじ端子１０１と電源側のねじ端子１０１とを繋ぐ電路について開閉を行う開閉接点をいずれも有する。
【００６４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６５】
１，１Ａ  接続変換アダプタ、２，２Ａ  アダプタ本体、３  端子カバー、３ａ  面、５  ねじ、６  アーク、７  アークガス、９  延長線、２１  機器接続部、２１ａ  端子、２２  導体接続部、２２ａ  開口、２３  取付凸部、２４  傾斜面、２５  カバー取付溝、２６  カバー係合部、２６ａ  延伸部、２６ｂ，２７ａ  突出部、２７  係合部カバー、２７ｂ，３２  カバー部、２８ａ，２８ｂ，２８ｃ  接続変換ブロック、２９  本体カバー、３１  ベース部、１００  回路遮断器、１００ａ  底面、１０１  ねじ端子、１０２  取付溝、１０４  消弧室、１０５  排気口、１０６  可動接点、１０７  固定接点、３１１，３２２  案内溝、３２１  検電用孔、３２３  係合部、Ａ  矢印、θ  角度。
【図１】
2020194704.tif 000003
【図２】
2020194704.tif 000004
【図３】
2020194704.tif 000005
【図４】
2020194704.tif 000006
【図５】
2020194704.tif 000007
【図６】
2020194704.tif 000008
【図７】
2020194704.tif 000009
【図８】
2020194704.tif 000010
【図９】
2020194704.tif 000011
【図１０】
2020194704.tif 000012
【図１１】
2020194704.tif 000013
【図１２】
2020194704.tif 000014
【国際調査報告】
2020194704.tif 000015
2020194704.tif 000016
2020194704.tif 000017
2020194704.tif 000018